(57)【要約】【課題】  病院内において，患者に点滴治療を施す場合、点滴中は、医師、ナースなどは、医療事故防止などの観点からも点滴の終了確認に非常に気を配つている、点滴終了を完全に自動的に読み取りナーススーテションへ、直接通知する手段あれば病院の治療効率は格段に向上するので、その自動的検知及びそれを完全自動的にナーススーテションへ、通知するシステムを提供すること。【解決手段】  点滴薬液の薬液量をＬ／Ｃセンサー又は、半導体歪ゲージセンサーで読みとって、そのデーターを信号変換し、それを赤外線送信する機構を点滴薬液袋部に取付け、その赤外線電波受信装置を病室内に設置する。そこで受信された点滴液残量データーをフォト・カプラ出力デター通信用有線を使い、ナーススーテションのメイン指令盤にフォト・カプラ受信振分電子回路機器にて、知らせる装置。【選択図】  図１
2005074215.tif 000002
【特許請求の範囲】
【請求項１】
患者に点滴治療を行う場合の点滴液につき、容器内の点滴液の残量を検知する残量検知手段を取付け配置させると共に、医師、ナースなどの側には、残量検知手段から発信された赤外線電波を病室内の点滴液袋の至近に設置する受信装置で受信し、その検知デターをナースセンターに点滴液残量として２本の通信線にて報知する手段を配置して構成したことを特微とする点滴液残量の通報システ厶装置。
【請求項２】
請求項１記載の残量検知手段装置において、患者に点滴量を自動検知する半導体歪ゲージを使った高感度圧力マイクロ送信センサーを点滴静注用の袋上部に取付け点滴量を自動検知しデターを赤外線電波で送信する点滴液残量の通報システム装置。
【請求項３】
請求項１記載の残量検知手段装置において、滴液残量を自動検知するＬ（リアクタンス）、Ｃ（キャパシタンス）を使ったマイクロ型送信センサーを点滴静注用の袋に取り付け点滴液残量を自動検知したデターを送信する点滴液残量の通報システム装置。
【請求項４】
請求項１記載の赤外線受信装置において、病室内の点滴液袋の至近に設置した受信装置で受信した上で、その点滴液残量を赤外線受信デター信号で自動的に有線にて、ナースステーションへ、フォト・カプラの電子部品によって信号デターを送る電子機器装置
【請求項５】
請求項１記載の赤外線受信装置において、ナースステーションにある各病室表示盤で病室より有線で送信されて来る自動検知された点滴液残量デター信号を振分けるフォト・カプラの部品による電子機器装置
【発明の詳細な説明】
【技術分野】
【０００１】  本発明は、点滴液残量検知の完全自動通報システム装置に関するものである。
【背景技術】
【０００２】  点滴液残量を自動検知するＬ（リアクタンス）、Ｃ（キャパシタンス）を組み合わせたＡ／Ｄ変換機と半導体歪ゲージを使用した圧力レベルをデジタル変換しそのデターを中央処理装置を備えた赤外線マイクロ送信電波に変換し送信する。【０００３】  その送信された赤外線電波を病室内の点滴液袋の至近に設置する受信装置で受信し、その受信された残量検知デターをナースステイションに報知する手段を配置して構成されていることを特微とする点滴監視装置に関する。
【特許文献１】特開２０００−６５６２６号広報
【非特許文献１】トランジスタ技術編集部奢  「実用電子回路ハンドブック」ＣＱ出版社
【発明の開示】
【発明が解決しようとする課題】
【０００４】  解決しようとする門題点は、現在は病院内において、患者に点滴治療を施す場合、医師、ナースなどは、点滴終了に常時目視確認することに気を使いながら治療する必要に迫られている。
【課題を解決解決するための手段】
【０００５】  本発明は、請求項１に記載しているとおり、目視確認の必要はなく、点滴液の残量を直接センサーで読み撮って、ナースステーションへ自動的に知らせることを最も主要な特微とする。
【発明の効果】
【０００６】  本発明の点滴液残量監視システム装置は、点滴液の残量を直接センサーで読み撮って、ナースステーションに伝えられる利点がある。
【発明を実施するための最良の形態】
【０００７】  本発明は、周波数の変化により検知された点滴液袋の終了データーを赤外線で検知し、至近に配置したフオートセンサーで受信すると同時に有線で、ナースステーションに送信するものであるから実施するために最良の形態を箇条書にすると以下のようである。
イ、被検知点滴液と赤外線センサーは、至近に配置されることが望ましい。実験の結果は、点滴液袋に、直に取り付けるのが、最良である。
ロ、同じく、フオートセンサーも赤外線検知機から余り離れていないことが望ましい。混線を排除し的確に受．送信する為にも、赤外線検知機より６０ｃｍ程度までの離れが、最良の形です。
ハ、ナースステイション側で受信された情報を、音と光によって差別化して実施するのがベストである。
【図面の具体的説明】
【実施例１】
【０００８】  １図、２図、３図、４図、は、本発明装置実施例１の構成図であって、１と２図は点滴薬液袋検知センサ部  ３図は、病室内の点滴薬液袋の至近にある赤外受信機に備える装置  ４図は、ナースステイションに備える装置である。【０００９】  図１のセンサ２２は、ＬＣ回路部２０と、反射波受信部１３を経由し信号変換１４、１５を経由され赤外送信部にて、送信される。本発明の主体は、各ブロツクの電子部品のマイクロチップ構成にあるので、電子、機構系の説明は省略する。
図２のセンサ３０の半導体歪ゲージセンサは、信号変換回路部と、Ａ／Ｄ変換部と中央処理装置を経由し赤外送信部にて、送信される。本発明の主体は、各、ブロツクの電子部品のマイクロチップ構成にあるので、電子、機構系の説明は省略する。
図３の赤外受信部は、滴薬液袋検知センサ部より発信された赤外線電波をうけて、４７の信号変換部を通り、４９フオト．カプラ出力より有線に信号出力する。本発明の主体は、各ブロツクの電子部品のマイクロチップ構成にあるので、電子、機構系の説明は省略する。
図４のフオト．カプラ入力受信部５３は、５４の信号変換部を通り、５６フオト．カプラ出力よりナーススティションのナースコール表示板に信号出力する。本発明の主体は、各ブロツクの電子部品のマイクロチップ構成にあるので、電子、機構系の説明は省略する。
【産業上の利用可能性】
【００１０】  点滴薬液袋に取付けたＬＣセンサー又は、半導体歪ゲージセンサーを用いて容易に点滴薬液量が分かるので、医師、ナースなどは、それで、長時間にわたり何本も点滴薬液袋を取り替える必要のある患者の看護には、特に多用される可能性があり現状では、直視が不可欠とされている用途にも適用できる。
【図面の簡単な説明】
【００１１】  図１は、本発明に係る点滴液袋部検知Ｌ．Ｃセンサーを備える装置のブロック説明図である。
図２は、本発明に係る点滴液袋部検知半導体歪ゲージセンサーを備える装置のブロック図である。
図３は、本発明に係る病室ナースコールスイッチに備える装置の受信デター出力ブロック図である。
図４は、ナースステーションに備える装置の受信信号デター振分ブロック図である。
【符号の説明】
【００１２】      １１  点滴薬液                        １２  ＬＣ回路部
１３  反射波受信部                    １４  信号変換器
１５  Ａ／Ｄ変換部                    １６  中央処理装置
１７  発振部                          １８  赤外送信部
１９  リチュム充電部                  ２０  発信信号ライン
２１  ＬＣアナログ信号ライン          ２２  Ｌ．Ｃセンサー
２３  リチュム電地                    ２４  ＬＣアナログ信号ライン
２５  第１のＬＣ検出信号ライン        ２６  第２のＬＣ検出信号ライン
２７  デジタル入力信号ライン          ２８  デター信号ライン
２９  電源供給ライン                  ３０  半導体歪ゲージセンサ
３１  信号変換器                      ３２  Ａ／Ｄ変換部
３３  中央処理装置                    ３４  赤外送信部
３５  点滴薬液                        ３６  検出アナログ信号ライン
３７  検出デジタル信号ライン          ３８  赤外送信出力デターライン
３９  赤外線素子出力ライン            ４０  電源供給ライン
４１  リチュム電池                    ４２  リチュム充電部
４３  赤外線素子                      ４４  充電出力ライン
４６  赤外受信部                      ４７  信号変換部
４９  フオト・カプラ出力部            ５０  電源部
５１  フオト・カプラ出力ライン        ５２  赤外線受信デター部
５３  フオト・カプラ入力部            ５４  信号変換部
５６  フオト・カプラ出力部            ５７  電  源  部
５８  フオト・カプラ出力ライン
【図１】
2005074215.tif 000003
【図２】
2005074215.tif 000004
【図３】
2005074215.tif 000005
【図４】
2005074215.tif 000006